(57)【要約】【課題】本発明は、着脱可能な貯水容器を備えた加湿装置に関するもので、貯水容器の装着性の向上ができるものである。【解決手段】水を貯水する貯水容器１４は、装着空間４ａに着脱可能であり、回転自在に設けられたフィルター部分１６を有し、フィルター部分１６の駆動部には歯車２３に噛み合うフィルターギア２０ｃを有している。貯水容器１４を装着空間４ａに挿入する際、装着空間４ａにおける内方側の底面が下方に凹んだ凹部２４を有していることにより、貯水容器１４は傾いた状態で移動し、フィルターギア２０ｃが歯車２３の下方から噛み合うことで、貯水容器１４の装着性を向上させることができる。【選択図】図５
2019174034.tif 000002
【特許請求の範囲】
【請求項１】
吹出口と吸気口を有する本体ケースと、
前記本体ケース内に設けた加湿部を備え、
前記加湿部は、
水を貯水する貯水容器と、
前記貯水容器の水に下部が浸漬し、前記貯水容器に回転自在に設けられたフィルター部分と、
前記吹出口から吸い込んだ空気を前記フィルター部分に送風する送風機と、
前記フィルター部分を回転させる駆動部とを備え、
前記駆動部は、前記駆動部によって回転する歯車を有し、
前記フィルター部分は、前記歯車に噛み合うフィルターギアを有し、
前記歯車と前記フィルターギアの回転軸は、前記貯水容器の着脱方向に延び、
前記貯水容器は、前記本体ケースの側面の開口から内方に延びた装着空間に着脱自在であり、
前記フィルターギアは、前記貯水容器の挿入方向における前方側の面に配置され、
前記貯水容器を前記装着空間に挿入すると前記フィルターギアは、前記歯車の下方から前記歯車に噛み合うことを特徴とする加湿装置。
【請求項２】
前記装着空間は、
前記装着空間における内方側の底面には、下方に凹んだ凹部を有し、
前記装着空間における前記凹部より前記開口側の底面には、上方に突出した凸部を有し、
前記装着空間内に前記貯水容器を挿入し、前記貯水容器が前記凹部の最下点に達すると、前記貯水容器は、前記凸部に乗り上げ、前記貯水容器は、挿入方向における前方側が後方側より下がった状態に傾き、
更に前記装着空間内に前記貯水容器を挿入すると、前記貯水容器は傾いた状態で移動し、前記フィルターギアが、前記歯車の下方に入ることを特徴とする請求項１に記載の加湿装置。
【請求項３】
前記凸部から前記凹部の最下点までの距離は、
前記凹部の最下点から前記歯車までの距離より長いことを特徴とする請求項２に記載の加湿装置。
【請求項４】
更に前記装着空間内に前記貯水容器を挿入すると、前記貯水容器は、前記凸部から外れ水平状態となり、前記フィルターギアが、前記歯車に噛み合うことを特徴とする請求項２または３に記載の加湿装置。
【請求項５】
前記フィルターギアが、前記歯車に噛み合った状態から前記貯水容器を水平に引き出すと、前記貯水容器と前記凸部とが当たることを特徴とする請求項２または３に記載の加湿装置。
【発明の詳細な説明】
【技術分野】
【０００１】
本発明は、加湿装置に関するものである。
【背景技術】
【０００２】
従来、この種の加湿装置は、フィルター部分を回転させる駆動部を備えている。駆動部は、駆動部によって回転する歯車を有している。フィルター部分は、歯車に噛み合うフィルターギアを有している。歯車とフィルターギアの回転軸は、貯水容器の着脱方向である水平方向に延びている。貯水容器は、本体ケースの側面の開口から内方に延びた装着空間に着脱自在である。フィルターギアは、貯水容器の挿入方向における前方側の面に配置されている。貯水容器を装着空間に挿入すると、フィルターギアは、水平方向に移動しながら歯車に噛み合う構造が知られている（特許文献１）。
【先行技術文献】
【特許文献】
【０００３】
【特許文献１】特開２０１７−１５２８６号公報
【発明の概要】
【発明が解決しようとする課題】
【０００４】
このような従来の加湿装置においては、歯車とフィルターギアの回転軸は、貯水容器の着脱方向である水平方向に延びているので、貯水容器を装着空間に装着すると、歯車の歯の間に、フィルターギアの歯が直接入らず、歯車の歯とフィルターギアの歯とが擦れながら、歯車の歯の間に、フィルターギアの歯が入る場合がある。
【０００５】
そこで本発明は、貯水容器の装着性を向上する加湿装置を提供することを目的とする。
【課題を解決するための手段】
【０００６】
そして、この目的を達成するために、本発明は、吹出口と吸気口を有する本体ケースと、前記本体ケース内に設けた加湿部を備え、前記加湿部は、水を貯水する貯水容器と、前記貯水容器の水に下部が浸漬し、前記貯水容器に回転自在に設けられたフィルター部分と、前記吹出口から吸い込んだ空気を前記フィルター部分に送風する送風機と、前記フィルター部分を回転させる駆動部とを備え、前記駆動部は、前記駆動部によって回転する歯車を有し、前記フィルター部分は、前記歯車に噛み合うフィルターギアを有し、前記歯車と前記フィルターギアの回転軸は、前記貯水容器の着脱方向に延び、前記貯水容器は、前記本体ケースの側面の開口から内方に延びた装着空間に着脱自在であり、前記フィルターギアは、前記貯水容器の挿入方向における前方側の面に配置され、前記貯水容器を前記装着空間に挿入すると前記フィルターギアは、前記歯車の下方から前記歯車に噛み合うことを特徴としたものであり、これにより所期の目的を達成するものである。
【発明の効果】
【０００７】
本発明によれば、貯水容器の装着性を向上した加湿装置を得ることができる。
【図面の簡単な説明】
【０００８】
【図１】本発明の実施の形態１の加湿装置を示す斜視図
【図２】同加湿装置を示す斜視図
【図３】同加湿装置を示す断面図
【図４】同加湿装置を示す断面図
【図５】同加湿装置の貯水容器とフィルター部分の断面図
【図６】同加湿装置の貯水容器を装着する装着空間を示す斜視図
【図７】同加湿装置の装着空間と貯水容器とフィルター部分の断面図
【図８】同加湿装置の貯水容器の底面を示す斜視図
【図９】同加湿装置の貯水容器とフィルター部分の断面図
【図１０】同加湿装置の装着空間と貯水容器とフィルター部分の断面図
【図１１】同加湿装置の装着空間と貯水容器とフィルター部分の断面図
【発明を実施するための形態】
【０００９】
以下、本発明の実施の形態について図面を参照しながら説明する。
【００１０】
（実施の形態１）
まず、本発明に係る加湿装置について、図１〜図５を用いて説明する。
【００１１】
図１、図２は、本発明の実施の形態１の加湿装置の斜視図である。なお、図１は、加湿装置を前面側から見た図である。図２は、パネル３を開いた加湿装置を前面側から見た図である。図３は、実施の形態１の加湿装置の断面図であり、図１のＡ−Ａ線断面図である。図４は、実施の形態１の加湿装置の断面図であり、図１のＢ−Ｂ線断面図であり、パネル３を開いた状態を示している。図５は、実施の形態１の加湿装置の貯水容器とフィルター部分の断面図である。
【００１２】
図１〜図５に示すように、本実施の形態の空気浄化装置は、略箱形状の本体ケース１と、送風機７と、加湿部５とを備える。
【００１３】
以下、加湿装置の詳細な構成について説明する。
【００１４】
本体ケース１には、吸気口２と吹出口６とが設けられている。吸気口２は、本体ケース１の両側面に設けられている。吹出口６は、固定式であって、本体ケース１の天面に設けられている。
【００１５】
本体ケース１の前面側から見て、右側の側面（本体ケース１の一方側の側面）である第１の本体側面１Ａには、開閉可能なパネル３が設けられている。パネル３を開くと、本体ケース１内には縦長四角形状の開口４が設けられている。本体ケースの側面の開口４の下部には、開口４から内方に水平に延びた空洞である装着空間４ａを備えている。開口４、および装着空間４ａ内には、加湿部５が着脱自在に設けられている。加湿部５は、図２に示すように、本体ケース１から取り出すことが出来る。なお、本体ケース１の一方側の側面の吸気口２は、パネル３に設けられている。
【００１６】
本体ケース１内には、図３に示すように、吸気口２と吹出口６とを連通する風路８が設けられている。この風路８には、吸気口２から順に、加湿部５（貯水容器１４、フィルター部分１６）、送風機７、吹出口６が設けられている。送風機７のモータ部９によってファン部１０が回転すると、吸気口２から本体ケース１内に入った外部の空気は、順に、加湿部５、送風機７、吹出口６を介して、本体ケース１から吹き出される。
【００１７】
送風機７は、図３、図４に示すように、本体ケース１の中央部に設けられ、モータ部９と、モータ部９により回転するファン部１０と、それらを囲むスクロール形状のケーシング部１１とを備えている。
【００１８】
モータ部９は、ケーシング部１１に固定されている。
【００１９】
ファン部１０は、シロッコファンで、モータ部９から水平方向に延びた回転軸９ａに固定されている。モータ部９の回転軸９ａは、本体ケース１の前面側から背面側に延びている。
【００２０】
ケーシング部１１には、吐出口１２と吸込口１３とが設けられている。吐出口１２は、ケーシング部１１の本体ケース１における上面側に設けられている。また、吸込口１３は、ケーシング部１１の本体ケース１における背面側に設けられている。
【００２１】
ケーシング部１１は、モータ部９を固定するモータ面部分６０と、吸込口１３が設けられた吸込面部分６１と、モータ面部分６０と吸込面部分６１とを連結するスクロール形状のスクロール面部分６２とを有している。パネル３を開き、本体ケース１内から後述するタンク部材１５を外した状態で本体ケース１内を見ると、スクロール面部分６２が見える。開口４側から見えるスクロール面部分６２は、上下方向に延び開口４側に対向する平面６３と、平面６３の下端から本体ケース１の内方へ伸びた曲面６４とを有している。
【００２２】
加湿部５は、貯水容器１４と、タンク部材１５と、フィルター部分１６とを備えている。
【００２３】
貯水容器１４は、天面に開口が設けられた箱形状をしており、水を貯水できる構造となっている。貯水容器１４は、本体ケース１の下部に配置されており、本体ケース１から水平方向にスライドして着脱可能となっている。貯水容器１４は、タンク部材１５から供給される水を貯水する。貯水容器１４には、後述するフィルター枠１８を回転自在に支持する軸受け１４ａを備えている。軸受け１４ａは、貯水容器１４の底面から上方に延び２本の板形状であり、先端部分には、半円形状の切り欠き１４ｂを有し、この切り欠き１４ｂに、後述するフィルター枠１８の軸が回動自在に入る構造となっている。
【００２４】
タンク部材１５は、本体ケース１内部の一方側の側面に設置され貯水容器１４から着脱可能な構造となっている。なお、本実施の形態では、タンク部材１５は、第１の本体側面１Ａ側に設置されている。タンク部材１５は、貯水容器１４の底面に設けられたタンク保持部１４ｃに装着されている。タンク部材１５は、水を貯水するタンク１５ａと、タンク１５ａの開口（図示せず）に設けられた蓋１５ｂとを備えている。蓋１５ｂの中央には、開閉部（図示せず）が設けられており、この開閉部が開くと、タンク１５ａ内の水が、貯水容器１４へ供給される。具体的には、タンク１５ａの開口を下向きにして、タンク部材１５を貯水容器１４のタンク保持部１４ｃに取り付けると、タンク保持部１４ｃによって開閉部が開く。つまり、タンク部材１５に水を入れてタンク保持部１４ｃに取り付けると、開閉部が開いてタンク部材１５から貯水容器１４に給水され、貯水容器１４内に水が溜まる。貯水容器１４内の水位が上昇して水が蓋１５ｂのところまで到達するとタンク部材１５の開口が水封されるので給水が停止する。タンク部材１５の内部には水が残っており、貯水容器１４内の水位が下がった場合に都度、タンク１５ａ内部の水が貯水容器１４に給水される。即ち、貯水容器１４内の水位は一定に保たれる。
【００２５】
フィルター部分１６は、貯水容器１４に貯水された水と、送風機７によって本体ケース１内に吸込まれた室内空気とを接触させる部材である。フィルター部分１６は、フィルター１７と、フィルター枠１８と、駆動部２２とを備えている。
【００２６】
フィルター１７は、円筒状に構成され、円周部分に空気が流通可能な孔が設けられている。フィルター部分１６は、フィルター１７の一端が貯水容器１４の水に浸漬するように、フィルター部分１６の中心軸を回転中心として貯水容器１４内に、フィルター枠１８によって回転自在に内蔵されている。
【００２７】
フィルター枠１８は、貯水容器１４の軸受け１４ａに回転支持される構造となっている。フィルター枠１８は、筒枠１９と、第１の軸カバー２０と、第２の軸カバー２１とを備えている。
【００２８】
フィルター１７の内面と接する筒枠１９は、円環板１９ａと、連結枠１９ｂとを備えている。
【００２９】
円環板１９ａは、円環形状の平板であり、多数の円環板は、円環板の中心軸が、回転軸と同軸となるように配置され、隣り合った円環板との間には隙間を有するように連結枠１９ｂによって保持されている。筒枠の円環板１９ａの外形は、フィルターの内径とほぼ同じ寸法である。フィルター枠１８の外周である円環板１９ａの周縁は、円筒状に構成されたフィルター１７の内面と接し、フィルター１７を円筒形状に支持する。
【００３０】
第１の軸カバー２０は、筒枠１９の中心軸方向における一方側に固定される円形状の板である第１のカバー２０ａと、第１のカバー２０ａの中心から外方に突出した円柱形状の突起である第１の軸２０ｂとを備えている。第１のカバー２０ａの直径は、フィルター１７の外径より一回り大きい寸法である。第１の軸２０ｂは、貯水容器１４における一方側の軸受け１４ａの切り欠きに嵌る構造となっている。筒枠１９と第１のカバー２０ａと第１の軸２０ｂとは、一体の構造である。第１の軸２０ｂの先端部分の外周面には、多数の突起である、多数の歯を備えている。第１の軸２０ｂの多数の歯は、後述する駆動部の歯車と接触し、駆動部の歯車の回転によって、第１の軸２０ｂを介して、フィルター枠１８が回転する構造である。なお、第１の軸２０ｂの先端部分に外周面に設けた多数の歯が、フィルターギア２０ｃである。
【００３１】
第２の軸カバー２１は、筒枠１９の中心軸方向における他方側に着脱自在な円形状の板である第２のカバー２１ａと、第２のカバー２１ａの中心から外方に突出した円柱形状の突起である第２の軸２１ｂとを備えている。第１のカバー２０ａの直径は、フィルター１７の外径より一回り大きい寸法である。第２の軸２１ｂは、貯水容器１４における他方側の軸受け１４ａの切り欠き１４ｂに嵌る構造となっている。第２のカバー２１ａと第２の軸２１ｂとは、一体の構造である。
【００３２】
駆動部２２は、歯車２３を備え、歯車２３の回転によってフィルター枠１８を回転させ、フィルター枠１８の回転によってフィルター部分１６が回転する。フィルター１７の一端が貯水容器１４の水に浸漬するように配置されているので、水と室内空気を連続的に接触させる構造となっている。
【００３３】
フィルター部分１６のお手入れについて説明する。まず、本体ケース１の下部から、貯水容器１４を水平方向にスライドして、本体ケース１から貯水容器１４を取り外す。次に、貯水容器１４の軸受け１４ａからフィルター１７が装着されたフィルター枠１８を外す。
最後に、フィルター枠１８である筒枠１９から第２の軸カバー２１を外し、更に筒枠１９からフィルター１７を外して、フィルター１７を押し洗い等のお手入れを行う。フィルター１７を取り付ける場合は、フィルター１７のお手入れの手順の逆の順番に、それぞれの部品を取り付ける。
【００３４】
図７は、本発明の実施の形態１の加湿装置における図１のＢ−Ｂ断面図であり、貯水容器とフィルター部分が装着空間に装着される様子を示している拡大図である。
【００３５】
本実施形態における特徴は、図６、７に示すように、貯水容器１４を装着空間４ａに挿入するとフィルターギア２０ｃは、歯車２３の下方から歯車２３に滑らかに噛み合う点である。これにより、貯水容器１４の装着が、容易になる。
【００３６】
具体的には、歯車２３とフィルターギア２０ｃの回転軸は、貯水容器１４の着脱方向に延び、フィルターギア２０ｃは、貯水容器１４の挿入方向における前方側の面に配置されている。歯車２３は、装着空間４ａにおける貯水容器１４の挿入方向における前方側の面に対向する面に配置されている。
【００３７】
装着空間４ａは、装着空間４ａにおける内方側の底面には、下方に凹んだ凹部２４を有している。装着空間４ａにおける凹部２４より開口側の底面には、上方に突出した突起である凸部２５を有している。凸部２５から凹部２４の最下点までの距離は、凹部２４の最下点から歯車までの距離より長い構造である。
【００３８】
図８は本発明の実施の形態１の加湿装置の貯水容器の底面を示す斜視図である。図９は、実施の形態１の加湿装置の貯水容器とフィルター部分の断面図である。
【００３９】
図７、８、９に示すように、貯水容器１４の底面には、底面から下方に延びたリブ形状の突起２６を備えている。突起２６の下端が装着空間４ａの底面と接触し、突起２６によって、貯水容器１４の底面と装着空間４ａの底面との間には、空間部を備えている。装着空間４ａ内に貯水容器１４を挿入すると、凸部２５は、空間部内を移動する。
【００４０】
空間部は、第１の空間部２９と、第２の空間部３０と、第３の空間部３１と、第４の空間部３２とを備えている。装着空間４ａ内に貯水容器１４を挿入すると、凸部２５は、順次、第１の空間部２９、第２の空間部３０、第３の空間部３１、第４の空間部３２を移動する。
【００４１】
第１の空間部２９は、凸部２５の高さより空間部の高さが大きい空間である。凸部２５は、第１の空間部２９内では、装着空間４ａ内に貯水容器１４を挿入すると、貯水容器１４の底面に当たることなく第１の空間部２９内を移動する。
【００４２】
第２の空間部３０は、第１の空間部２９から空間部の高さが徐々に小さくなり、第２の空間部３０の下端が、突起２６の下端と同一面上になる空間である。具体的には、第２の空間部３０には、貯水容器１４の底面から下方に延び、下端が傾斜したリブ形状の傾斜突起２７を備えている。傾斜突起２７は、貯水容器の挿入方向における前方側から後方側へ向かうにつれて徐々に高さが高くなる形状である。言い換えると、傾斜突起２７の下端は、貯水容器１４の挿入方向における前方側から後方側へ向かうにつれて徐々に下方に下がる形状である。傾斜突起２７は、傾斜突起２７における貯水容器１４の挿入方向における後方側の端部３３で、傾斜突起２７の下端は装着空間の底面と接触する。凸部２５は、第２の空間部内では、装着空間内に更に貯水容器１４を挿入すると、傾斜突起２７の下端に徐々に接触しながら第２の空間部内を移動する。
【００４３】
第３の空間部３１は、第３の空間部３１の下端が、突起２６の下端と同一面上になる空間である。言い換えると、第３の空間部３１は、貯水容器を水平面に置くと第３の空間部３１の下端が、水平面に接する構造である。具体的には、第３の空間部３１には、貯水容器１４の底面から下方に延びたリブ形状の水平突起２８を備えている。貯水容器を水平面に置くと、第３の空間部３１の水平突起２８の下端が、水平面に接する。凸部２５は、第３の空間部内では、更に装着空間内に貯水容器１４を挿入すると、水平突起２８の下端に接触しながら第３の空間部内を移動する。
【００４４】
第４の空間部３２は、凸部２５の高さより空間部の高さが大きい空間である。装着空間内に貯水容器１４を挿入すると、凸部２５は、第４の空間部内では、貯水容器１４の底面に当たることなく第４の空間部３２内を移動する。更に、装着空間４ａ内に貯水容器１４を挿入すると、凸部２５は、第３の空間部３１の水平突起２８から外れ、貯水容器１４の底面に当たることがない第４の空間部３２内に移動する。
【００４５】
以上の構成において、貯水容器１４が、装着空間４ａに装着されるまでの貯水容器１４の動きについて説明する。
【００４６】
まず、図７に示すように、貯水容器１４を、貯水容器１４の底面が装着空間４ａ内の凹部２４に沿うように挿入すると、貯水容器１４は、徐々に挿入方向における前方側が後方側より下がり、傾いた状態となる。ここでは、凸部２５は、最初に第１の空間部２９内を移動し、途中から第２の空間部３０内を移動する。
【００４７】
次に、装着空間４ａ内に貯水容器１４を挿入し、挿入方向における貯水容器１４の前面が凹部２４の最下点に達する。
【００４８】
図１０は、本発明の実施の形態１の加湿装置における図１のＢ−Ｂ断面図であり、貯水容器とフィルター部分が装着空間に装着される様子を示している拡大図である。
【００４９】
更に、装着空間４ａ内に貯水容器１４を挿入すると、図１０に示すように、貯水容器１４は、挿入方向における前方側が後方側より下がった傾いた状態で、貯水容器１４は、凸部２５に乗り上げる。挿入方向における貯水容器１４の前面の突起２６と装着空間４ａにおける内方側の底面とが接触する部分である第１の接点３４と、貯水容器１４における第３の空間部３１の水平突起２８の下端と、凸部２５の先端とが接触する部分である第２の接点３５とで支持される。また、凸部２５から凹部２４の最下点までの距離は、凹部２４の最下点から歯車までの距離より長い構造であるので、挿入方向における前方側が後方側より下がった傾いた状態が長くなり、装着し易い。
【００５０】
更に、装着空間４ａ内に貯水容器１４を挿入すると、貯水容器１４は、第１の接点３４と第２の接点３５とで支持され、挿入方向における前方側が後方側より下がり傾いた状態で、装着空間４ａ内を移動する。更に、装着空間４ａ内に貯水容器１４を挿入すると、貯水容器１４は傾いた状態で移動し、フィルターギア２０ｃが、歯車２３の下方に入る。ここでは、凸部２５は、第３の空間部３１の水平突起２８の下端と接しながら、第３の空間部３１内を移動する。ここで、凸部２５は、第３の空間部３１内の水平突起２８における後方側に達する。
【００５１】
図１１は、本発明の実施の形態１の加湿装置における図１のＢ−Ｂ断面図であり、貯水容器とフィルター部分が装着空間に装着される様子を示している拡大図である。
【００５２】
更に、装着空間４ａ内に貯水容器１４を挿入すると、図１１に示すように、貯水容器１４は、凸部２５から外れ、傾いた状態から水平状態となり、フィルターギア２０ｃが、歯車２３に噛み合う。ここで、凸部２５は、第４の空間部３２内に入る。この状態が、装着空間４ａ内に貯水容器１４が装着された状態である。
【００５３】
なお、凸部２５は、貯水容器１４の抜け止めとなっている。貯水容器１４を装着空間４ａ内から引き出す場合に、水平に引き出すと、貯水容器１４の水平突起２８の側面と、凸部２５の側面とが当たり、貯水容器１４を装着空間４ａ内から引き出せない。貯水容器１４を装着空間４ａ内から引き出す場合には、一旦、貯水容器１４の挿入方向における後方側を持ち上げ、凸部２５に貯水容器１４の水平突起２８を乗り上げさせた後に、水平に引き出すことができる。
【産業上の利用可能性】
【００５４】
本発明にかかる加湿装置は、家庭用や事務所用などに使用される加湿装置等として有用である。
【符号の説明】
【００５５】
１    本体ケース
１Ａ    第１の本体側面
２    吸気口
３    パネル
４    開口
４ａ    装着空間
５    加湿部
６    吹出口
７    送風機
８    風路
９    モータ部
９ａ    回転軸
１０    ファン部
１１    ケーシング部
１２    吐出口
１３    吸込口
１４    貯水容器
１４ａ    軸受け
１４ｂ    切り欠き
１４ｃ    タンク保持部
１５    タンク部材
１５ａ    タンク
１５ｂ    蓋
１６    フィルター部分
１７    フィルター
１８    フィルター枠
１９    筒枠
１９ａ    円環板
１９ｂ    連結枠
２０    第１の軸カバー
２０ａ    第１のカバー
２０ｂ    第１の軸
２０ｃ    フィルターギア
２１    第２の軸カバー
２１ａ    第２のカバー
２１ｂ    第２の軸
２２    駆動部
２３    歯車
２４    凹部
２５    凸部
２６    突起
２７    傾斜突起
２８    水平突起
２９    第１の空間部
３０    第２の空間部
３１    第３の空間部
３２    第４の空間部
３３    端部
３４    第１の接点
３５    第２の接点
６０    モータ面部分
６１    吸込面部分
６２    スクロール面部分
【図１】
2019174034.tif 000003
【図２】
2019174034.tif 000004
【図３】
2019174034.tif 000005
【図４】
2019174034.tif 000006
【図５】
2019174034.tif 000007
【図６】
2019174034.tif 000008
【図７】
2019174034.tif 000009
【図８】
2019174034.tif 000010
【図９】
2019174034.tif 000011
【図１０】
2019174034.tif 000012
【図１１】
2019174034.tif 000013